(57)【特許請求の範囲】
【請求項１】
物品の一部分に外嵌可能な装着孔が形成されている本体シート片と、本体シート片の一縁に連設された表示片と、を備え、前記表示片を前記一縁において回動させることにより、前記表示片を、前記本体シート片に重ねた平行位置と前記本体シート片に対して所定角で起立する傾斜位置に変更できる表示ラベルであって、
前記表示片と本体シート片の間には、前記傾斜位置に回動した前記表示片を保持する連結片が架設されており、
前記装着孔が、前記本体シート片の一縁から所定間隔を開けて形成され、
前記連結片の一端部が、前記装着孔の開口縁部のうち前記本体シート片の一縁に近い側の縁部に連設されていることを特徴とする表示ラベル。
【請求項２】
物品の一部分に外嵌可能な装着孔が形成されている本体シート片と、本体シート片の一縁に連設された表示片と、を備え、前記表示片を前記一縁において回動させることにより、前記表示片を、前記本体シート片に重ねた平行位置と前記本体シート片に対して所定角で起立する傾斜位置に変更できる表示ラベルであって、
前記表示片と本体シート片の間には、前記傾斜位置に回動した前記表示片を保持する連結片が架設されており、
前記連結片の一端部が、前記本体シート片又は表示片の何れか一方に回動可能に連設され、且つ、前記連結片を差し込む挿入口が、前記表示片又は本体シート片の他方に設けられ、
前記連結片の他端部側が、前記挿入口に出入可能に差し込まれており、
前記連結片の他端部又は挿入口の少なくとも何れか一方には、前記表示片が傾斜位置に回動した際に、連結片の挿入口に対する引き出しを防止する係止部が設けられており、
前記装着孔が、前記本体シート片の一縁から所定間隔を開けて形成され、
前記連結片の一端部が、前記装着孔の開口縁部のうち前記本体シート片の一縁に近い側の縁部に連設されていることを特徴とする表示ラベル。
【請求項３】
前記本体シート片が、前記装着孔が貫通され且つ上下に重ねられた少なくとも２枚のシート片を有し、
前記表示片が平行位置にあるとき、前記本体シート片の上方シート片に前記表示片が重なり、
前記連結片の一端部が、前記下方シート片に形成された装着孔の開口縁部のうち前記本体シート片の一縁に近い側の縁部に連設されており、
前記下方シート片に連設された連結片の他端部側が、前記上方シート片に形成された装着孔を通過して、前記表示片に設けられた挿入口に出入可能に差し込まれている請求項２に記載の表示ラベル。
【請求項４】
前記表示片が平行位置にあるとき、前記表示片の少なくとも一部分が本体シート片の装着孔に重なるように形成されている請求項１〜３のいずれか一項に記載の表示ラベル。
【請求項５】
前記連結片は、前記表示片が平行位置にあるとき、約１８０度折り曲げられている部分を有する請求項１〜４のいずれか一項に記載の表示ラベル。
【発明の詳細な説明】
【技術分野】
【０００１】
本発明は、商品の宣伝広告効果を高めるために、物品の一部分に装着して使用される表示ラベルに関する。
【背景技術】
【０００２】
従来、商品の宣伝広告効果を高めるために、商品名、懸賞案内などを表示した表示ラベル（掛止ラベルなどとも呼ばれる）を、物品の一部分に装着することが行われている。
【０００３】
例えば、特許文献１には、首掛け開口が形成された襟巻き片と、該襟巻き片から略垂直上方に折れ曲がって立設する表示片と、を備え、襟巻き片又は表示片には、表示片の基端部分を支えて背面側に傾倒するのを防止する支え片が設けられている首掛けラベルが開示されている。
かかる首掛けラベルは、表示片が背面側に傾倒することを防止できるので、表示片の損傷を防止でき、表示片による表示機能を効果的に発揮できる。
【特許文献１】特開２００２−３４７８４１号公報
【発明の開示】
【発明が解決しようとする課題】
【０００４】
しかしながら、上記公報記載の首掛けラベルは、表示片が正面側に倒れることを防止できない。具体的には、表示片が、比較的厚く且つ大面積の場合には、その自重により、表示片は、正面側に倒れ易いが、上記公報記載の首掛けラベルでは、これを防止することができない。なお、表示片の背面側には、容器の首部が存在するので、表示片は、背面側へ大きく傾倒しない。このため、表示片が背面側に倒れることを防止するよりも、表示片が正面側へ倒れることを防止することが求められる。
【０００５】
さらに、上記公報記載の首掛けラベルは、支え片を折り曲げた後、表示片を襟巻き片に対して約９０度に折り曲げることによって形成され、該折り曲げ状態の首掛けラベルの襟巻き片の開口を首部に嵌めることによって、容器に装着される。かかる折り曲げ状態の首掛けラベルは、保管・搬送などの便が悪いという問題がある。一方、上記首掛けラベルの表示片を予め折り曲げていない場合には、前記首掛けラベルは扁平状であるため、保管などの便は良いが、この場合、首掛けラベルを容器へ装着する工程において、襟巻き片を容器の首部に嵌めた後、支え片を折り曲げ、且つ表示片を折り曲げる工程を行わなければならない。
【０００６】
本発明の第１の目的は、装着孔が形成された本体シート片の一縁に表示片が回動可能に連設された表示ラベルにおいて、前記表示片が正面側に大きく倒れることを防止することである。
本発明の第２の目的は、装着孔が形成された本体シート片の一縁に表示片が回動可能に連設された表示ラベルにおいて、扁平状にして保管でき、且つ容器などの物品に装着した際に表示片を起立させるように改良することである。
【課題を解決するための手段】
【０００７】
本発明の第１の表示ラベルは、物品の一部分に外嵌可能な装着孔が形成されている本体シート片と、本体シート片の一縁に連設された表示片と、を備え、前記表示片を前記一縁において回動させることにより、前記表示片を、前記本体シート片に重ねた平行位置と前記本体シート片に対して所定角で起立する傾斜位置に変更できる表示ラベルであって、前記表示片と本体シート片の間には、前記傾斜位置に回動した前記表示片を保持する連結片が架設されており、前記装着孔が、前記本体シート片の一縁から所定間隔を開けて形成され、前記連結片の一端部が、前記装着孔の開口縁部のうち前記本体シート片の一縁に近い側の縁部に連設されていることを特徴とする。
【０００８】
上記第１の表示ラベルは、表示片が本体シート片の一縁に連設され、且つ表示片を本体シート片に対して平行位置と傾斜位置に回動させることができる。前記表示片を平行位置とすると、表示ラベルを扁平状にすることができるので、該扁平状の表示ラベルは、保管・運搬などの便に優れる。
そして、上記表示ラベルは、本体シート片の装着孔を物品の一部分に嵌めることにより、物品に装着される。
装着された表示ラベルは、表示片の自重によって、表示片が本体シート片から回動するが、表示片と本体シート片の間には、傾斜位置に回動した表示片を保持する連結片が架設されているので、表示片が、正面側に大きく倒れることを防止できる。
従って、表示片に施された表示が、消費者に見えやすく、上記表示ラベルは、宣伝広告効果を十分に発揮できる。
【０００９】
さらに、上記第１の表示ラベルは、連結片が装着孔の開口縁部のうち本体シート片の一縁に近い側の縁部に連設されているので、表示ラベルの装着孔を物品の一部分に嵌めることにより、連結片が物品の一部分によって押し出されて回動する。このため、表示ラベルを物品に装着した際に、連結片の押し出しによって、表示片を容易に起立させることができる。
【００１２】
本発明の第２の表示ラベルは、物品の一部分に外嵌可能な装着孔が形成されている本体シート片と、本体シート片の一縁に連設された表示片と、を備え、前記表示片を前記一縁において回動させることにより、前記表示片を、前記本体シート片に重ねた平行位置と前記本体シート片に対して所定角で起立する傾斜位置に変更できる表示ラベルであって、前記表示片と本体シート片の間には、前記傾斜位置に回動した前記表示片を保持する連結片が架設されており、前記連結片の一端部が、前記本体シート片又は表示片の何れか一方に回動可能に連設され、且つ、前記連結片を差し込む挿入口が、前記表示片又は本体シート片の他方に設けられ、前記連結片の他端部側が、前記挿入口に出入可能に差し込まれており、前記連結片の他端部又は挿入口の少なくとも何れか一方には、前記表示片が傾斜位置に回動した際に、連結片の挿入口に対する引き出しを防止する係止部が設けられており、前記装着孔が、前記本体シート片の一縁から所定間隔を開けて形成され、前記連結片の一端部が、前記装着孔の開口縁部のうち前記本体シート片の一縁に近い側の縁部に連設されていることを特徴とする。
【００１３】
上記第２の表示ラベルは、連結片の他端部側が、挿入口に出入可能に差し込まれているので、表示片の回動に伴い、該連結片は、回動しながら挿入口から引き出される。そして、該表示片が傾斜位置にまで回動した際に、前記連結片の挿入口に対する引き出しを防止する係止部が設けられているので、傾斜位置に起立した表示片を前記連結片によって保持できる。
【００１４】
さらに、上記第２の表示ラベルは、連結片が装着孔の開口縁部のうち本体シート片の一縁に近い側の縁部に連設されているので、表示ラベルの装着孔を物品の一部分に嵌めることにより、連結片が物品の一部分によって押し出されて回動する。このため、表示ラベルを物品に装着した際に、連結片の押し出しによって、表示片を容易に起立させることができる。
【００１５】
上記第２の表示ラベルにおいて、前記表示片が平行位置にあるとき、前記連結片は、その一端部において約１８０度折り曲げられた状態で挿入口に差し込まれていることが好ましい。
かかる表示ラベルは、前記表示片が平行位置にあるとき、連結片が、一端部において約１８０度で折り曲げられた状態となっているので、該連結片には、一端部において屈折に抗する力が働き、連結片が折り曲げ方向と反対方向に回動しようとする。かかる連結片によって表示片が付勢され、表示片を起立させ易くできる。
【００１６】
上記第２の表示ラベルにおいて、前記本体シート片が、前記装着孔が貫通され且つ上下に重ねられた少なくとも２枚のシート片を有し、前記表示片が平行位置にあるとき、前記本体シート片の上方シート片に前記表示片が重なり、前記連結片の一端部が、前記下方シート片に形成された装着孔の開口縁部のうち前記本体シート片の一縁に近い側の縁部に連設されており、前記下方シート片に連設された連結片の他端部側が、前記上方シート片に形成された装着孔を通過して、前記表示片に設けられた挿入口に出入可能に差し込まれていることが好ましい。
【００１７】
かかる表示ラベルは、本体シート片が、装着孔の貫通された少なくとも上下のシート片を有し、連結片の一端部が、前記下方シート片に形成された装着孔の開口縁部に回動可能に連設されている。従って、前記連結片の一端部上には、上方シート片の装着孔の開口縁部が位置している。この連結片の他端部側は、上方シート片に形成された装着孔を通過して、前記表示片に設けられた挿入口に出入可能に差し込まれているため、表示片の回動に伴い、該連結片は、連結片の一端部において回動しながら挿入口から引き出される。そして、該連結片の引き出しに伴って、連結片は、表示片側へと引っ張られるが、連結片の一端部上には、上方シート片の装着孔の開口縁部が位置しているので、連結片の一端部（下方シート片との連設部分）において、亀裂が生じることを防止できる。
【００１８】
上記第１及び第２の表示ラベルにおいて、前記表示片が平行位置にあるとき、前記表示片の少なくとも一部分が本体シート片の装着孔に重なるように形成されていることが好ましい。
また、上記第１及び第２の表示ラベルにおいて、前記連結片は、前記表示片が平行位置にあるとき、約１８０度折り曲げられている部分を有することが好ましい。
【００１９】
かかる表示ラベルは、平行位置において、表示片の一部分が装着孔に重なっている。このため、上記扁平状の表示ラベルの装着孔を、物品の一部分に嵌めることにより、表示片が物品の一部分によって押し出され、表示片が起立する。従って、上記表示ラベルは、従来の首掛けラベルのように、物品に装着後、支え片や表示片の折り曲げ工程を行う必要がなく、物品に嵌めるだけで、表示片を傾斜位置に起立させることができる。
【発明の効果】
【００２０】
本発明の表示ラベルは、表示片と本体シート片の間に架設された連結片によって、表示片を所定角の傾斜位置に保持できる。従って、本発明の表示ラベルは、表示片が正面側に倒れ過ぎることを防止できる。よって、該表示ラベルは、表示片に施された表示が消費者に見えやすく、商品の宣伝広告効果を十分に発揮できる。また、該表示ラベルは、表示片と本体シート片を略平行とした扁平状に形成できるので、保管・運搬などの便に優れている。
さらに、本発明の表示ラベルは、上記扁平状の表示ラベルの装着孔を、物品の一部分に嵌めるだけで、表示片を傾斜位置に起立させることができる。従って、本発明の表示ラベルは、商品の宣伝広告効果に優れ、更に、物品への装着も容易に行える。
【発明を実施するための最良の形態】
【００２１】
図１に於いて、１は、物品の一部分に外嵌可能な装着孔５が形成されている本体シート片２と、本体シート片２の一縁２ａに連設され且つ面内に挿入口７が形成された表示片３と、前記挿入口７に出入可能に差し込まれることにより、前記本体シート片２と表示片３の間に架設された連結片４と、を有する表示ラベルを示す。
該表示ラベル１は、本体シート片２の装着孔５を、例えば、容器の首部の外側へ嵌めることによって、容器に装着される。
【００２２】
上記本体シート片２、表示片３及び連結片４は、何れもシートを所定形状に形成することによって構成されている。本体シート片２、表示片３及び連結片４は、別体のシートを所定形状に形成して、それらを接着剤などで接合してもよいが、好ましくは、本体シート片２、表示片３及び連結片４は、１枚のシートによって形成される。以下、１枚のシートを適宜な形状に形成し且つ適宜折り畳むことによって、上記本体シート片２、表示片３及び連結片４が形成された表示ラベル１について説明する。
【００２３】
表示ラベル１（本体シート片２、表示片３及び連結片４）を構成するシートは、適度な剛性と可撓性を有するシートが用いられる。該シートの材質は、特に限定されず、紙、厚紙、合成紙、合成樹脂シート、合成樹脂発泡シート、これらの積層体、これらと他のシートの積層体などを用いることができる。通常、表示ラベル１を構成するシートは、コスト面から、紙または合成樹脂シートが用いられる。紙を用いる場合には目付量６０〜１５０ｇ／ｍ２程度のものが好ましい。合成樹脂シートを用いる場合には、３０μｍ〜１５０μｍ程度のものが好ましい。
なお、後述するように、本体シート片２に、懸賞応募用ハガキなどのハガキが折り込み具備されている場合には、上記シートとして、紙を用いることが好ましい。
【００２４】
上記本体シート片２は、物品の一部分（例えば容器の首部）よりも大面積に形成され、本体シート片２の面内に、装着孔５が形成されている。
上記本体シート片２の上面視形状は特に限定されず、図示したような、上面視略矩形状のほか、その他、図示しないが、上面視略円状、同楕円状、同略三角形状などの適宜な形状に形成してもよい。
なお、上面視略矩形状に形成された本体シート片２の一縁２ａには、表示片３が連設されており、本体シート片２と表示片３の連設部分（本体シート片２の一縁）には、折り目が形成されている。
本明細書において、折り目の形成手法としては、シートに折り曲げ癖を付けておく手法、シートを厚み方向に押圧しておく手法（所謂折り罫線の形成）、などを用いることができる。
【００２５】
また、本体シート片２は、少なくとも上下２枚のシート片（上方シート片及び下方シート片）が重ね合わされて構成されている。なお、上述のように、１枚のシートからなる本実施形態の表示ラベル１においては、該１枚のシートを適宜折り畳むことにより、上方シート片及び下方シート片からなる本体シート片２が構成されている。
【００２６】
ここで、本実施形態の表示ラベル１を、より判りやすく説明するため、シートから表示ラベル１を組み立てる手順を説明しつつ、本発明の表示ラベル１の具体的構成を明らかにする。
図２は、表示ラベル１を構成するシート１０の一実施形態の展開図を示す。
該シート１０は、矩形状に形成され、該シート１０の面積を略６等分するように、折り畳まれる（図２において、折り目を一点鎖線で示す）。
具体的には、シート１０の面内には、シート１０の短手幅を２等分する第１折り目１１を有し、さらに、シート１０の長手幅を略３等分する第２折り目１２及び第３折り目１３を有する。
前記第１折り目１１及び第２折り目１２で区画される第１シート片１０Ａの面内には、装着孔５、連結片４及び第１支持片６１が形成されている。また、第１折り目１１を介して前記第１シート片１０Ａに隣接する第２シート片１０Ｂの面内には、装着孔５及び第２支持片６２が形成されている。さらに、第２折り目１２及び第３折り目１３を介して第１シート片１０Ａに対向し且つ第１折り目１１及び第３折り目１３で区画される第３シート片１０Ｃの面内には、挿入口７が形成されている。
なお、第１折り目１１を介して第３シート片１０Ｃに隣接する領域を、第４シート片１０Ｄといい、第１シート片１０Ａと第３シート片１０Ｃにそれぞれ隣接する領域を、第５シート片１０Ｅといい、第２シート片１０Ｂと第４シート片１０Ｄにそれぞれ隣接する領域を、第６シート片１０Ｆという。
【００２７】
上記連結片４は、第１シート片１０Ａの面内に形成された有端状の切込み線４ａで囲われた領域からなる。この切込み線４ａは、その両端部が第２折り目１２から所定間隔を隔てて位置しており、該両端部を起点として前記第２折り目１２から離れる方向に延び、外側へ膨らんだ後、前記第２折り目１２と略平行に延びている。該切込み線４ａで囲われて形成された連結片４は、その基部（切込み線４ａの両端部間）において第１シート片１０Ａに回動可能に連設されている。なお、連結片４の上端部には、外側へ膨らんだ一対の係止部４１，４１が形成されている。
一方、上記第１支持片６１は、前記連結片４に向かい合って形成され、第１シート片１０Ａの面内に形成された有端状の切込み線６１ａで囲われた領域からなる。この切込み線６１ａは、その両端部が第１シート片１０Ａの短手側縁から所定間隔を隔てて位置しており、該両端部を起点として前記短手側縁から離れる方向に延び、前記短手側縁と略平行に延びている。該切込み線６１ａで囲われて形成された第１支持６１は、その基部（切込み線６１ａの両端部間）において第１シート片１０Ａに回動可能に連設されている。なお、連結片４と第１支持片６１の間は、切り取られて開口とされている。
上記連結片４及び第１支持片６１を回動させることにより生じる孔が、第１シート片１０Ａに形成された装着孔５である。
【００２８】
また、上記第２支持片６２は、第１支持片６１と同様に、第２シート片１０Ｂの面内に形成された有端状の切込み線６２ａで囲われた領域からなる。第１シート片１０Ａと第２シート片１０Ｂを第１折り目１１にて折り畳み、第１シート片１０Ａの上に第２シート片１０Ｂを重ね合わせた際、上記切込み線６２ａは、切込み線６１ａと一致するように形成されている。
さらに、第２シート片１０Ｂの面内には、前記第２支持片６２の端部から第２折り目１２側の領域に、長方形状の開口６３が形成されている。前記開口６３は、その一縁６３ａが第２折り目１２から所定間隔（第２折り目１２と連結片４の基部の間隔と同じ間隔）を隔てて形成されている。
上記第２支持片６２を回動させることにより生じる孔と開口６３が、第２シート片１０Ｂに形成された装着孔５である。
【００２９】
上記第１シート片１０Ａと第２シート片１０Ｂを第１折り目１１にて折り畳み、第１シート片１０Ａの上に第２シート片１０Ｂを重ね合わせた際、連結片４は、開口６３から覗き出て、第１支持片６１及び第２支持片６２は上下で重なり合う。
【００３０】
次に、第３シート片１０Ｃに形成された挿入口７は、第３シート片１０Ｃの面内に形成された有端状の切込み線７ａからなる。該切込み線７ａは、第３折り目１３から所定間隔を隔て且つ第３折り目１３と略平行な直線状に形成されている。なお、切込み線７ａの両端部は、第３折り目１３側へやや傾斜されている。
挿入口７の長さ（切込み線７ａの両端部間の長さ）は、連結片４の係止部４１，４１間の長さよりも少し短く形成されている。連結片４を挿入口７に挿入した状態で、係止部４１，４１を、挿入口７の両端部に係合させるためである。
【００３１】
上記シート１０を、図２の矢印で示すように、第１折り目１１を介して折り畳んむことにより、第１シート片１０Ａ、第３シート片１０Ｃ及び第５シート片１０Ｅの上に、第２シート片１０Ｂ、第４シート片１０Ｄ及び第６シート片１０Ｆを、それぞれ重ね合わせる。これにより、上下２枚のシート片が重なった状態となる（図３参照）。
さらに、重なった第３シート片１０Ｃ及び第４シート片１０Ｄを、図３の矢印で示すように、第３折り目１３を介して折り畳むことにより、第６シート片１０Ｆの上に、第４シート片１０Ｄを重ね合わせる（図４参照）。
【００３２】
これにより、図５に示すように、下方から順に第５シート片１０Ｅ、第６シート片１０Ｆ、第４シート片１０Ｄ及び第３シート片１０Ｃが重なった４枚のシート片からなる表示片３が構成され、他方、第１シート片１０Ａ（下方シート片）及び第２シート片１０Ｂ（上方シート片）が重なった上下２枚のシート片からなる本体シート片２が構成される。
従って、上記複数シート片からなる表示片３は、本体シート片２の一縁２ａ（第２折り目１２）において回動可能に連設されており、該表示片３は、本体シート片２の第２シート片１０Ｂ（上方シート片）に対して略平行となる位置まで折り曲げることができる。
【００３３】
上述のように、第１シート片１０Ａの上に第２シート片１０Ｂを重ね合わせた際、連結片４は、開口６３から覗き出て且つ第１支持片６１及び第２支持片６２は上下で重なり合っている。このため、連結片４及び第１支持片６１を上方に回動させる（図５の二点鎖線で示す）ことにより生じる第１シート片１０Ａの装着孔５と、第２支持片６２を上方に回動させる（図５の二点鎖線で示す）ことにより生じる第２シート片１０Ｂの装着孔５とは、上下で一致している。つまり、第１シート片１０Ａと第２シート片１０Ｂには、装着孔５，５が貫通している。
【００３４】
かかる装着孔５は、本体シート片２の一縁２ａから所定間隔を開けて形成されている。
また、上記連結片４は、第１シート片１０Ａの装着孔５の開口側へ延設されており、連結片４の一端部は、装着孔５の開口縁部のうち本体シート片２の一縁２ａに近い側の縁部に回動可能に連設されている。
さらに、上記連結片４の一端部の上には、第２シート片１０Ｂの開口６３（装着孔５）の開口縁部が位置している。
【００３５】
この連結片４を、図５の二点鎖線で示すように、一端部において上方に回動させることにより、連結片４の他端部側は、開口６３（第２シート片１０Ｂに形成された装着孔５）を通過し、第２シート片１０Ｂの上方に突出する。同様に、第１支持片６１及び第２支持片６２を回動させることにより、両者は、上方に突出する。
【００３６】
次に、上記複数シート片からなる表示片３を、図４の矢印で示すように、第２折り目１２（本体シート片２の一縁２ａ）において折り曲げることにより、表示片３を構成する第３シート片１０Ｃと本体シート片２を構成する第２シート片１０Ｂが対面する。
そして、第１シート片１０Ａに形成された連結片４を、上述のように、第２シート片１０Ｂの上方に折り曲げ、図６に示すように、該連結片４の他端部を、第３シート片１０Ｃに形成された挿入口７に差し込む。
上記連結片４は、端部に形成された係止部４１，４１を除いて、挿入口７よりも幅狭であるため、挿入口４に対して出入可能である。
【００３７】
従って、表示片３が本体シート２の上面に近づくように、表示片３を本体シート片２の一縁２ａにおいて回動させると、連結片４が挿入口７に進入し（連結片４が挿入口４内に退いていき）、図６（ｂ）に示すように、表示片３を、本体シート片２に重ね合わせて略平行とすることができる（平行位置）。このように表示片３が本体シート片２に対して平行位置にあるときは、表示ラベル１は、扁平状となる。また、該表示片３は、平行位置において、本体シート片２の装着孔５を隠蔽するように、該装着孔５に重なっている。さらに、表示片３が平行位置にあるときは、連結片４は、連結片４の一端部において折れ曲がらず、本体シート片２に対して略平行となっている。
一方、図６（ｂ）に示す平行位置から、表示片３を本体シート片２の上面から離れるように回動させると、表示片３の傾斜に従い、連結片４が挿入口７から引き出されていく。もっとも、連結片４の引き出しは、無制限ではなく、連結片４の係止部４１，４１が挿入口７の両端部に係合した際、連結片４の引き出しが防止される。よって、表示片３の下面は、図６（ａ）に示すように、本体シート片２の上面に対して所定角αで起立する（傾斜位置）。
連結片４の延出長さ、及び／又は、連結片４の一端部（連結片４が連設された装着孔５の開口縁部）から本体シート片２の一縁２ａまでの間隔を、適宜設定することにより、前記所定角αの大きさを設定できる。
なお、表示片３の正面（本実施形態では、第５シート片１０Ｅの表面）には、商品名、絵柄などの所望の意匠印刷が施されている。
【００３８】
上記表示ラベル１は、本体シート片２と表示片３を重ね合わせて扁平状に形成できる。従って、保管や搬送の際に嵩張らない。
かかる表示ラベル１は、物品の一部分に装着される。物品としては、代表的には容器であるが、そのほかに、例えば、玩具、調理器具、事務用品、家庭電化製品、陶器類などでもよい。
上記表示ラベル１は、例えば、下記の手順で容器に装着される。
例えば、図７に示すように、表示ラベル１を扁平状にした状態で、本体シート片２に形成された装着孔５が容器９のキャップ部９１に対応するように位置合わせし、該本体シート片２の一縁２ａ近傍及び該本体シート片２の一縁２ａに対向する他縁２ｂ近傍をそれぞれ把持し、表示ラベル１を容器９側へ押し下げる。
すると、容器９のキャップ部９１の上面に、連結片４及び第１支持片６１が当たり、キャップ部９１によって、連結片４及び第１支持片６１（及び第２支持片６２）が上方に押し出されて回動する。
扁平状に形成された表示ラベル１は、表示片３が本体シート片２の装着孔５に重なっているので、表示片３もキャップ部９１によって押し出され、表示片３が本体シート片２の一縁２ａにおいて回動する。
【００３９】
さらに、表示ラベル１を押し下げると、図８に示すように、形成された装着孔５が容器９の首部９２に外嵌されると共に、表示片３が、本体シート片２に対して起立する。
表示片３が本体シート片２に対して所定角αまで傾斜すると、連結片４の係止部４１が挿入孔７に係合し、表示片３は、本体シート片２に対して上記傾斜位置にて保持される。
従って、表示片３が、所定の傾斜位置より更に正面側へ傾倒することを防止できる。よって、表示片３に印刷などされた所望の表示が、消費者に見えやすく、上記表示ラベル１は、宣伝広告効果に優れている。
また、上記表示ラベル１は、表示片３が正面側へ傾倒することを防止できるので、表示片３によって容器９の胴部に表示されたデザインが隠される虞もない。
【００４０】
また、第１支持片６１及び第２支持片６２は、その弾性力により、装着孔５の開口縁部を首部９２に押しつけるので、装着された表示ラベル１が横ズレすることを防止できる。
なお、本体シート片２は、可撓性を有するシート片からなるので、図８に示すように、容器９に装着された状態では、通常、山側に湾曲する。かかる本体シート片２の湾曲を考慮して、表示片３の本体シート片２に対する所定角αを設定することが好ましい。
【００４１】
さらに、上記表示ラベル１は、装着孔５を容器９の一部分に嵌めると、表示片３が押し出されて傾斜状に起立する。従って、装着時、表示片３を折り曲げる工程を別途行う必要がなく、上記表示ラベル１は、簡単に容器９に装着できる。
【００４２】
また、上記表示ラベル１の本体シート片２は、装着孔５が貫通され且つ重ね合わされた上下２枚のシート片を有し、下方シート片（第１シート片１０Ａ）の開口縁部に、連結片４の一端部が回動可能に連設されている。この連結片４の一端部において、連結片４は、上方シート片（第２シート片１０Ｂ）の装着孔５を通過して折り曲げられるが、連結片４の一端部の上には、上方シート片の装着孔５の開口縁部が位置している。
連結片４の他端部側は、表示片３に設けられた挿入口７に差し込まれているため、表示片３の回動に伴い、連結片４は、その一端部において回動するが、上述のように、連結片４の一端部上には、上方シート片の装着孔５の開口縁部が位置しているので、連結片４の一端部において、亀裂が生じることを防止できる。
【００４３】
また、上記表示ラベル１の表示片３は、重ね合わされた複数シート片を有しており、挿入口７に差し入れられた連結片４の他端部は、表示片３を構成するシート片の間（本実施形態では、第３シート片１０Ｃと第４シート片１０Ｄの間）に介在している。このため、連結片４が、表示片３の正面側から突出することがなく、該正面に施された表示が連結片４の他端部によって遮蔽されることを防止できる。また、連結片４を挿入口７に対してスムーズに出入させることができるので、上述のように、表示ラベル１を容器９に装着する際、キャップ部９１の押し出しによって、表示片３を確実に起立させることができる。
【００４４】
次に、本発明の他の実施形態を示す。
ただし、下記他の実施形態の説明に於いて、主として上記実施形態と異なる構成及び効果について説明し、上記実施形態と同様の構成などについては、その説明を省略し、用語及び符号を援用することがある。
【００４５】
好ましくは、表示ラベル１の表示片３に、懸賞応募用などのハガキ、シート状のおまけ（キャラクターカードなど）などの附属品を具備させてもよい。前記付属品は、表示片３に剥離可能な粘着剤を介して添付してもよい。また、前記付属品は、複数のシート片からなる表示片３の間に挿入保持してもよい。
また、表示片３及び本体シート片２などの表示ラベル１を構成するシートに、ハガキを一体的に具備させてもよい。
図９は、ハガキが具備されたシートの展開図を示す。
該シート１００は、図２に示すシート１０の第４シート片１０Ｄ及び第６シート片Ｆに、該第４シート片１０Ｄ及び第６シート片Ｆの約２倍の面積の延出シート１０１が延設されているものであり、その余の構成（連結片４、装着孔５、挿入口４などの形成）は、図２に示すシートと同様である。
該延出シート１０１と第４シート片１０Ｄ及び第６シート片Ｆの境界部分に、第４折り目１４を有し、延出シート１０１の面内には、該シート１０１を４等分するために、第５折り目１５及び第６折り目１６を有する。
そして、図９において、薄墨み塗りで示した領域が、最終的に切り取られ、ハガキとなる領域である。
【００４６】
該シート１０１は、図１０（ａ）に示すように、第５折り目１５において谷折りし、第４折り目１４において山折りし、更に、上記実施形態と同様に第１折り目１１において谷折りして各シート片を重ね合わせることにより、図１０（ｂ）に示すように、シート片が上下に重なる。該重なったシート片は、ハガキ領域が折り込まれていることを除いて、上記実施形態の図３に示す状態と同じであり、事後、上記実施形態と同様にして、表示片３を湾曲させ、連結片４を架設することにより、表示ラベル１を構成できる。
【００４７】
上記他の実施形態の表示ラベル１は、表示片３にハガキが具備されているので、商品を購入した消費者は、該表示ラベル１を取り外し、ハガキを切り取って懸賞などに応募できる。このように表示片３にハガキなどの付属品を具備させた場合には、表示片３が重くなって正面側へ大きく傾倒し易いが、本発明の表示ラベル１によれば、付属品を具備させても表示片３の傾倒を防止できる。
【００４８】
また、上記実施形態では、本体シート片２に連結片４が形成され且つ表示片３に挿入口７が形成されているが、該構成と反対に、本体シート片２に挿入口が形成され且つ表示片３に連結片４が形成されていてもよい。
【００４９】
さらに、上記実施形態では、表示片３が平行位置にあるとき、連結片４は折れ曲がっていないが、例えば、図１１（ｂ）に示すように、表示片３が平行位置にあるとき、連結片４が、その一端部において約１８０度折り曲げられた状態で挿入口７に差し込まれていてもよい。
該他の実施形態に係る表示ラベル１は、連結片４が一端部において約１８０度で折り曲げられた状態となっているので、該連結片４の一端部において屈折に抗する力が働き、連結片４は、折り曲げ方向と反対方向（図１１（ｂ）では上方側）に回動しようとする。該連結片４によって表示片３が本体シート片２と離れる方向に付勢されるので、図１１（ａ）に示すように、表示片３を起立させ易くなる。
【００５０】
また、上記実施形態では、本体シート片２には、装着孔５（物品の一部分に外嵌するための孔）のみが形成され、該装着孔５の開口縁部から連結片４が延設されているが、例えば、本体シート片２に、装着孔５と貫通孔を形成し、該貫通孔の開口縁部から連結片４が延設されていてもよい。
具体的には、本体シート片２が上方シート片及び下方シート片（第１シート片１０Ａ及び第２シート片１０Ｂ）を有する場合、上方シート片及び下方シート片を貫通する貫通孔と、上方シート片及び下方シート片を貫通する装着孔５と、が形成される。前記貫通孔及び装着孔５は、本体シート片２の一縁２ａから所定間隔を開けて形成される。本体シート片２の下方シート片に形成された貫通孔の開口縁部のうち、本体シート片２の一縁２ａに近い側の縁部に、連結片４の一端部が回動可能に連設され、該連結片４の他端部側が、上方シート片に形成された貫通孔を通過して、表示片３に設けられた挿入口７に出入可能に差し込まれる。
該他の実施形態のように、本体シート片２に、物品の一部分に外嵌するための装着孔５以外の孔（貫通孔）を形成し、該貫通孔の開口縁部から連結片４を延設してもよい。
【００５１】
また、上記実施形態では、係止部４１が設けられた連結片４の他端部側を、挿入口７に出入可能に差し込むことによって、表示片３と本体シート片２の間に連結片４が架設されているが、例えば、図１２（ａ）に示すように、本体シート片２（又は表示片３）から延設された連結片４の他端部を、表示片３（又は本体シート片２）に接着剤などで固着してもよい。この場合、連結片４の中央部が折り曲げ自在となるように、図１２（ｂ）に示すように、連結片４の中央部に折り目４２が形成されていることが好ましい。該表示ラベル１は、連結片４が折り目４２において約１８０度で折り曲げられ、表示片３と本体シート片２を略平行とした扁平状に形成できる。また、連結片４には、その中央部において約１８０度の屈折に抗する力が働くため、該連結片４は折り曲げ方向と反対方向に回動しようとする。このため、該連結片４によって、平行位置にある表示片３が付勢され、表示片３を起立させ易くできる。
【００５２】
また、上記実施形態では、表示ラベル１を扁平状にした際に、表示片３が、本体シート片２の装着孔５に重なるように形成されているが、扁平状にした際に、表示片３が装着孔５に重ならないように形成されていてもよい。
例えば、図１３に示す表示ラベル１は、本体シート片２の長さが、表示片３よりも随分と長く形成され（例えば、本体シート片２の長さが表示片３の長さの２倍〜４倍程度）、表示片３が重ならない本体シート片２の範囲に、装着孔５が形成されている。
この場合、表示片３と本体シート片２の間には、上記連結片４が架設されていることは上記実施形態と同様であるが、表示片３が重ならない本体シート片２の範囲に、切込み線を形成することにより対向する支持片６４，６４が設けられている。この支持片６４を折り曲げることによって、装着孔５が形成される。
上記他の実施形態に係る表示ラベル１は、例えば、図１４に示すように、飲料紙パック容器などのゲーブルトップ型容器９’の注出口９３に装着孔５を外嵌し、本体シート片２の中央部をゲーブルトップの頂部に掛け、表示片３をゲーブルトップの他面側に垂れ下げることによって、ゲーブルトップ型容器９’に装着できる。
【００５３】
また、上記実施形態では、本体シート片２は、２枚のシート片で形成されているが、重ねられた３枚以上のシート片で形成してもよく、又、１枚のシート片で形成されていてもよい。さらに、上記実施形態では、表示片３は、４枚のシート片で形成されているが、重ねられた２枚（複数枚）のシート片で形成してもよく、又、１枚のシート片で形成されていてもよい。
【図面の簡単な説明】
【００５４】
【図１】一実施形態に係る表示ラベルの斜視図。
【図２】表示ラベルに用いるシートの展開図。
【図３】上方のシート片を折り曲げて下方のシート片に重ねた状態を示す平面図。
【図４】さらに、シート片を折り曲げて重ねた状態を示す平面図。
【図５】同４のＩ−Ｉ線断面図。
【図６】（ａ）は、表示片が傾斜位置となった表示ラベルを示す断面図、（ｂ）は、表示片が平行位置となった表示ラベルを示す断面図。
【図７】扁平状にした表示ラベルを容器に装着する工程を示す斜視図。
【図８】表示ラベルを容器に装着した状態を示す参考側面図。
【図９】他の実施形態に係る表示ラベルに用いるシートの展開図。
【図１０】（ａ）は、同シートの折り曲げ状態を示す側面図、（ｂ）は、これを折り重ねた状態を示す平面図。
【図１１】他の実施形態の表示ラベルを示し、（ａ）は、表示片が傾斜位置となった状態を示す断面図、（ｂ）は、表示片が平行位置となった状態を示す断面図。
【図１２】他の実施形態の表示ラベルを示し、（ａ）は、表示片が傾斜位置となった状態を示す断面図、（ｂ）は、表示片が平行位置となった状態を示す断面図。
【図１３】他の実施形態に係る表示ラベルの斜視図。
【図１４】同表示ラベルをゲーブルトップ型容器に装着した状態を示す参考側面図。
【符号の説明】
【００５５】
１…表示ラベル、２…本体シート片、２ａ…本体シート片の一縁、３…表示片、４…連結片、４１…係止部、５…装着孔、６１…第１支持片、６２…第２支持片、７…挿入口、９，９’…容器（物品）、９２…容器の首部、１０，１００…シート、１０Ａ〜１０Ｆ…第１〜第６シート片
【図１】
0005326122.tif 000002
【図２】
0005326122.tif 000003
【図３】
0005326122.tif 000004
【図４】
0005326122.tif 000005
【図５】
0005326122.tif 000006
【図６】
0005326122.tif 000007
【図７】
0005326122.tif 000008
【図８】
0005326122.tif 000009
【図９】
0005326122.tif 000010
【図１０】
0005326122.tif 000011
【図１１】
0005326122.tif 000012
【図１２】
0005326122.tif 000013
【図１３】
0005326122.tif 000014
【図１４】
0005326122.tif 000015